(57)【要約】【課題】隣り合うプラグ側ハウジング同士が機器側コネクタに対する抜き差し方向にずれ動くことがなく、一つのプラグ側コネクタのみを機器側コネクタから抜き出すことができるように改善すること。【解決手段】コネクタ構造は、プラグ側ハウジング３２に弾性変形可能に設けられた片部４８の横方向を向く一方の側面に形成された前後移動規制突部５４と、片部４８の前記横方向を向く他方の側面に形成され、隣り合うプラグ側ハウジング３２の前後移動規制突部５４の前後方向の変位を規制すべく前後移動規制突部５４に前後に整合する一対のストッパ部５６、５８とを有し、前後移動規制突部５４及びストッパ部５６、５８は、プラグ側コネクタ３０を機器側コネクタ１０から抜き出すことができるアンロック状態になることにより、非整合になって前後方向の変位を規制することを解除する。【選択図】図２
2018225527.tif 000002
【特許請求の範囲】
【請求項１】
第１のハウジング及び前記第１のハウジングに設けられた複数の第１の端子を含む一つの第１のコネクタに、第２のハウジング及び前記第２のハウジングに設けられた第２の端子を含む複数の第２のコネクタを、互いに隣接して横方向に整列した状態で前後方向に抜き差し可能に接続するコネクタ構造であって、
前記第２のハウジングの前記横方向に直交する縦方向を向く両側面の少なくとも一方に設けられ、弾性変形によって前記縦方向に変位可能な変位部材と、
前記変位部材に設けられたロック用係合部と、
前記第２のハウジングが、前記第１のハウジングに受容された時に、前記ロック用係合部が係合すべく前記第１のハウジングに設けられたロック用被係合部と、
前記変位部材の前記横方向を向く一方の側面に形成されて前記ロック用係合部に連繋して前記縦方向に変位する前後移動規制突部と、
前記変位部材の前記横方向を向く他方の側面に形成されて前記ロック用係合部に連繋して前記縦方向に変位し、前記横方向に隣り合う前記第２のハウジングとの前記前後方向の位置が揃うべく整合した時に、当該前記横方向に隣り合う前記第２のハウジングの前記前後移動規制突部の前記前後方向の変位を規制するストッパ部とを有し、
前記前後移動規制突部及び前記ストッパ部は、前記ロック用係合部と前記ロック用被係合部との係合が解除されるべく前記変位部材が前記縦方向に変位された時に、前記縦方向に互いに非整合になって前記前後方向の変位を規制することを解除するように構成されているコネクタ構造。
【請求項２】
前記ロック用係合部は、前記第１のハウジングに対する前記第２のハウジングの差込み過程での前記第１のハウジングとの当接によって前記変位部材を弾性変形によって前記縦方向に変位させ、前記第１のハウジングに対する前記第２のハウジングの差込みが完了した時に、復元して前記ロック用被係合部に係合する請求項１に記載のコネクタ構造。
【請求項３】
前記変位部材は樹脂製の前記第２のハウジングに前記縦方向を向く側面に対して間隙をおいて設けられた片部によって構成され、当該片部と前記第２のハウジングとが一つの一体成形品である請求項１又は請求項２に記載のコネクタ構造。
【請求項４】
前記片部は、前記第２のハウジングの前記前後方向に延在し、前後の端部が前記第２のハウジングに結合された両持ち梁構造である請求項３に記載のコネクタ構造。
【請求項５】
前記片部は、前記縦方向の押圧によって前記ロック用係合部と前記ロック用被係合部との係合を解除すべく前記縦方向に前記片部を変位させるロック解除操作部を有する請求項３又は請求項４に記載のコネクタ構造。
【請求項６】
前記第２のハウジングは、前記横方向を向く両側面に、前記横方向に隣り合う前記第２のハウジングの前記縦方向の移動を規制すべく、前記横方向に隣り合う前記第２のハウジングに形成されたもの同士で互いに係合する縦移動規制部を有する請求項１から請求項５の何れか一項に記載のコネクタ構造。
【請求項７】
前記縦移動規制部は、前記第２のハウジングの前記前後方向に線状に延在し、前記横方向に隣り合う前記第２のハウジングの前記前後方向の移動を摺動可能にガイドするガイドレールを兼ねている請求項６に記載のコネクタ構造。
【発明の詳細な説明】
【技術分野】
【０００１】
本発明は、コネクタ構造に関し、更に詳細には、多極コネクタのための機器側コネクタ及びプラグ側コネクタを含むコネクタ構造に関する。
【背景技術】
【０００２】
電気的な接続を行うためのコネクタ構造として、プリント配線基板等に取り付けられる一つの機器側ハウジング及び当該機器側ハウジングに設けられた複数の機器側端子を有する一つの機器側コネクタと、プラグ側ハウジング及び当該プラグ側ハウジングに設けられたプラグ側端子を有し、機器側コネクタに接続可能で、互いに連結・分離可能な複数のプラグ側コネクタとを含むコネクタ構造が知られている（例えば、特許文献１、２）。【０００３】
このようなコネクタ構造では、プラグ側コネクタが機器側コネクタに接続されていない状態（機器側コネクタから取り外された状態）では、隣り合うプラグ側コネクタ（プラグ側ハウジング）同士の機器側コネクタに対する抜き差し方向の移動が拘束されていないため、プラグ側コネクタが隣り合うもの同士で機器側コネクタに対する抜き差し方向に互いにずれ動く虞がある。このため、プラグ側コネクタの取扱性が悪く、コネクタ接続の作業性が悪い。【０００４】
このことを回避するために、複数のプラグ側コネクタ同士を、サイドリテーナを用いて抜き差し方向に互いにずれ動かないように互いに連結することが考えられている。
【先行技術文献】
【特許文献】
【０００５】
【特許文献１】特開２００５−３２２４８７号公報
【特許文献２】特開２０１４−７８３７０号公報
【発明の概要】
【発明が解決しようとする課題】
【０００６】
しかし、サイドリテーナが用いられると、プラグ側コネクタが機器側コネクタに接続された状態において、一つのプラグ側コネクタのみを機器側コネクタから抜き出すことができず、サイドリテーナによって連結された複数のプラグ側コネクタ単位でしかプラグ側コネクタを機器側コネクタから抜き出すことができない。【０００７】
本発明が解決しようとする課題は、複数のプラグ側コネクタが機器側コネクタから取り外された状態において、隣り合うプラグ側コネクタ同士が機器側コネクタに対する抜き差し方向にずれ動くことがなく、複数のプラグ側コネクタが機器側コネクタに接続された状態において、一つのプラグ側コネクタのみを機器側コネクタから抜き出すことができるように改善することである。
【課題を解決するための手段】
【０００８】
本発明の一つの実施形態によるコネクタ構造は、第１のハウジング（１２）及び前記第１の第１のハウジング（１２）に設けられた複数の第１の端子（１６）を含む一つの第１のコネクタ（１０）に、第２のハウジング（３２）及び前記第２のハウジング（３２）に設けられた第２の端子（３６）を含む複数の第２のコネクタ（３０）を、互いに隣接して横方向に整列した状態で前後方向に抜き差し可能に接続するコネクタ構造であって、前記第２のハウジング（３２）の前記横方向に直交する縦方向を向く両側面の少なくとも一方に設けられ、弾性変形によって前記縦方向に変位可能な変位部材（４８）と、前記変位部材（４８）に設けられたロック用係合部（５０）と、前記第２のハウジング（３２）が、前記第１のハウジング（１２）に受容された時に、前記ロック用係合部（５０）が係合すべく前記第１のハウジング（１２）に設けられたロック用被係合部（１８）と、前記変位部材（４８）の前記横方向を向く一方の側面に形成されて前記ロック用係合部（５０）に連繋して前記縦方向に変位する前後移動規制突部（５４）と、前記変位部材（４８）の前記横方向を向く他方の側面に形成されて前記ロック用係合部（５０）に連繋して前記縦方向に変位し、前記横方向に隣り合う前記第２のハウジング（３２）との前記前後方向の位置が揃うべく整合した時に、当該前記横方向に隣り合う前記第２のハウジング（３２）の前記前後移動規制突部（５４）の前記前後方向の変位を規制するストッパ部（５６、５８）とを有し、前記前後移動規制突部（５４）及び前記ストッパ部（５６、５８）は、前記ロック用係合部（５０）と前記ロック用被係合部（１８）との係合が解除されるべく前記変位部材（４８）が前記縦方向に変位された時に、前記前後方向の変位を規制することを解除するように構成されている。【０００９】
この構成によれば、複数の第２のコネクタ（３０）が第１のコネクタ（１０）から取り外された状態において、横方向に隣り合う第２のハウジング（３２）同士が前後方向にずれ動くことがサイドリテーナを必要とすることなく阻止され、複数の第２のコネクタ（３０）が第１のコネクタ（１０）のコネクタ挿入室（１４）から抜き出された状態においては、前後方向の位置合わせされた複数の第２のコネクタ（３０）の取り扱いが容易になり、コネクタ接続の作業性が改善される。【００１０】
そして、複数の第２のコネクタ（３０）が第１のコネクタ（１０）に差し込まれた状態においては、一つの第２のコネクタ（３０）のロック用係合部（５０）がロック用被係合部（１８）との係合から離脱されたアンロック状態になると、当該一つの第２のコネクタ（３０）が前記横方向の両側に隣り合う第２のコネクタ（３０）に対して前記前後方向に変位することが可能になり、この一つの第２のコネクタ（３０）だけを第１のコネクタ（１０）から取り外すことができる。【００１１】
上記コネクタ構造において、好ましくは、前記ロック用係合部（５０）は、前記第１のハウジング（１２）に対する前記第２のハウジング（３２）の差込み過程での前記第１のハウジング（１２）との当接によって前記変位部材（４８）を弾性変形によって前記縦方向に変位させ、前記第１のハウジング（１２）に対する前記第２のハウジング（３２）の差込みが完了した時に、復元して前記ロック用被係合部（１８）に係合する。【００１２】
この構成によれば、第２のハウジング（３２）の差込みが完了した時のロック用係合部（５０）とロック用被係合部（１８）との係合が必然的に確実に行われる。【００１３】
上記コネクタ構造において、好ましくは、前記変位部材（４８）は樹脂製の前記第２のハウジング（３２）に前記縦方向を向く側面に対して間隙をおいて設けられた片部（４８）によって構成され、当該片部（４８）と前記第２のハウジング（３２）とが一つの一体成形品である。【００１４】
この構成によれば、変位部材（４８）をなす片部（４８）と第２のハウジング（３２）とが一体形成品であることにより、変位部材として別部品を必要とすることも、変位部材の組付けを行う必要もなく、簡素で安価なものになる。【００１５】
上記コネクタ構造において、好ましくは、前記片部（４８）は、前記第２のハウジング（３２）の前記前後方向に延在し、前後の端部（４８Ａ、４８Ｂ）が前記第２のハウジング（３２）に結合された両持ち梁構造である。【００１６】
この構成によれば、片部（４８）に遊端がないから、製造過程や組立過程において、自由な状態にある複数の第２のコネクタ（３０）の片部（４８）が絡み合う不具合な状態に陥ることがない。【００１７】
上記コネクタ構造において、好ましくは、前記片部（４８）は、前記縦方向の押圧によって前記ロック用係合部（５０）と前記ロック用被係合部（１８）との係合を解除すべく前記縦方向に前記片部（４８）を変位させるロック解除操作部（５２）を有する。【００１８】
この構成によれば、ロック解除操作部（５２）の操作によってロック解除が確実且つ容易に行われ得る。【００１９】
上記コネクタ構造において、好ましくは、前記第２のハウジング（３２）は、前記横方向を向く両側面に、前記横方向に隣り合う前記第２のハウジング（３２）の前記縦方向の移動を規制すべく、前記横方向に隣り合う前記第２のハウジング（３２）に形成されたもの同士で互いに係合する縦移動規制部（４０、４２、４４、４６）を有する。【００２０】
この構成によれば、前記横方向に隣り合う第２のハウジング（３２）が差込み過程等で縦方向にずれ動くことがない。【００２１】
上記コネクタ構造において、好ましくは、前記縦移動規制部（４０、４２、４４、４６）は、前記第２のハウジング（３２）の前記前後方向に線状に延在し、前記横方向に隣り合う前記第２のハウジング（３２）の前記前後方向の移動を摺動可能にガイドするガイドレールを兼ねている。【００２２】
この構成によれば、第１のコネクタ（１０）に対する第２のコネクタ（３０）の抜き差しの作業性が改善される。
【発明の効果】
【００２３】
本発明によるコネクタ構造によれば、複数の第２のコネクタが第１のコネクタから取り外された状態において、隣り合う第２のハウジング同士が第１のコネクタに対する抜き差し方向にずれ動くことがなく、複数の第２のコネクタが第１のコネクタに接続された状態においては、一つの第２のコネクタのみを第１のコネクタから抜き出すことができる。
【図面の簡単な説明】
【００２４】
【図１】本発明によるコネクタ構造の一つの実施形態を示す斜視図
【図２】本実施形態によるコネクタ構造のプラグ側コネクタの斜視図
【図３】本実施形態によるコネクタ構造のプラグ側コネクタの平面図
【図４】本実施形態によるコネクタ構造のロック機構部分の差込み過程の状態を示す断面図
【図５】本実施形態によるコネクタ構造の前後移動規制部分の差込み過程の状態を示す断面図
【図６】本実施形態によるコネクタ構造のロック機構部分の差込み完了時の状態を示す断面図
【図７】本実施形態によるコネクタ構造の前後移動規制部分の差込み完了時の状態を示す断面図
【発明を実施するための形態】
【００２５】
以下に、本発明によるコネクタ構造の一つの実施形態を、図１〜図７を参照して説明する。本実施形態では、横方向（配列方向）は図１〜図３で見て左右方向、前後方向（抜き差し方向）は図１〜図７で見て上下方向、縦方向は前記横方向及び前記前後方向の双方に直交する方向であり、当該縦方向は図４〜図７で見て左右方向とする。
【００２６】
コネクタ構造１は、図１及び図４〜図７に示されているように、第１のコネクタをなす一つの機器側コネクタ１０と、第２のコネクタをなす複数のプラグ側コネクタ３０とを含む。
【００２７】
機器側コネクタ１０は、表面実装型等の電気コネクタ（ヘッダ）であり、樹脂成形品による機器側ハウジング１２を含む。機器側ハウジング１２は、４個の側壁１２Ａ、１２Ｂ、１２Ｃ、１２Ｄ及び底壁１２Ｅを有して図１で見て上方開放の直方体形状をしており、空間内に仕切り（隔壁）がない直方体状空間による一つのコネクタ挿入室１４を画定している。コネクタ挿入室１４には複数のプラグ側コネクタ３０が互いに隣接して横方向に一列に整列した状態で前後方向に抜き差し可能に差し込まれる。
【００２８】
機器側コネクタ１０は、図４及び図５に示されているように、複数の雄型端子（機器側端子）１６を有する。雄型端子１６は、縦方向に２列に、横方向に等間隔をおいて整列され、各々、底壁１２Ｅから前後方向に延在してコネクタ挿入室１４に突出した突出部１６Ａを有する。ここで、図４に符号（ＧＮＤ）を付記された雄型端子１６はアース端子である。アース端子（ＧＮＤ）の突出部１６Ａの突出長は他の雄型端子１６の突出部１６Ａの突出長より長い。このことにより、雄型端子１６と後述の雌型端子３６との導通接続は、最初にアース端子（ＧＮＤ）において行われ、アース除電によってコネクタ接続時の機器側の安全性が図られる。
【００２９】
複数のプラグ側コネクタ３０は、図１に示されているように、互いに隣接して横方向に整列した状態で、機器側コネクタ１０のコネクタ挿入室１４に対して前後方向に抜き差し可能に差し込まれる。
【００３０】
各プラグ側コネクタ３０は、図１〜図７に示されているように、樹脂成形品によるプラグ側ハウジング３２を含む。プラグ側ハウジング３２は、横方向を向いて互いに平行な側面３２Ａ及び３２Ｂと、縦方向を向いて互いに平行な側面３２Ｃ及び３２Ｄとを含む略長方体形状をしている。各プラグ側ハウジング３２の側面３２Ａ及び３２Ｂは、複数のプラグ側コネクタ３０が横方向に整列した状態において、各々、片側或いは両側に横方向に隣り合う他のプラグ側ハウジング３２の横側面３２Ｂ及び３２Ａに対向する。
【００３１】
各プラグ側コネクタ３０は、図１、図２、図４及び図６に示されているように、プラグ側ハウジング３２に、縦方向に間隔をおいて形成されて各々前後方向に延在する端子室３４を有する。各プラグ側コネクタ３０には、図４及び図６に示されているように、各端子室３４に配置される金属製の雌型端子（プラグ端子）３６が取り付けられる。各雌型端子３６には絶縁被覆電線（コード）３８が導通接続されている。各雌型端子３６は、プラグ側コネクタ３０が機器側コネクタ１０のコネクタ挿入室１４に差し込まれることにより、対応する雄型端子１６に導通接続される。
【００３２】
各プラグ側ハウジング３２は図１〜図３に示されているように、横方向を向く一方の横側面（図２で見て右側の面）の前記縦方向に離れた２箇所に、各々前後方向に線状に互いに平行に延在する両側壁による凹溝部４０及び片側壁による鉤形部４２を有する。各プラグ側ハウジング３２は、横方向を向く他方の横側面（図２で見て左側の面）の縦方向に離れた２箇所に、各々前後方向に線状に延在する突条４４及び４６を有する。
【００３３】
凹溝部４０及び鉤形部４２と突条４４及び４６とは、横方向に隣り合うプラグ側ハウジング３２に形成されているもの同士で前後方向に互いに摺動可能に係合し、横方向に隣り合うプラグ側ハウジング３２の縦方向の位置が揃うように、横方向に隣り合うプラグ側ハウジング３２同士の縦方向の移動を規制し、縦移動規制部をなす。
【００３４】
凹溝部４０及び鉤形部４２と突条４４及び４６とは横方向に隣り合うプラグ側ハウジング３２の前後方向の移動を摺動可能にガイドするガイドレールを兼ねる。これにより、コネクタ挿入室１４に対してプラグ側コネクタ３０を抜き差しする作業性が改善される。
【００３５】
尚、凹溝部４０及び鉤形部４２と突条４４及び４６は、プラグ側コネクタ３０の誤配列を防止するため、横方向に隣り合う一対のプラグ側ハウジング３２毎に縦方向に異なった位置に設けられているか、或いは形状が異なっていればよい。また、図示の実施形態では、凹溝部４０及び突条４４はプラグ側ハウジング３２の前後方向の全域に亘って設けられているのに対して、鉤形部４２及び突条４６はプラグ側ハウジング３２の前後方向の１／２の領域にしか設けられていないが、鉤形部４２及び突条４６はプラグ側ハウジング３２もプラグ側ハウジング３２の前後方向の全域に亘って設けられていてもよい。
【００３６】
各プラグ側ハウジング３２の縦方向を向く一方の側面３２Ｃには変位部材をなす片部４８がプラグ側ハウジング３２と一体形成されている。つまり、プラグ側ハウジング３２と片部４８とは一つの一体成形品である。片部４８は、側面３２Ｃに対して間隙４９をおいて前後方向に延在し、各々プラグ側ハウジング３２に結合された前後の端部４８Ａ及び４８Ｂを含んで両持ち梁構造をしている。片部４８は、図４及び図５に示されているように、弓状に撓むように弾性変形することにより、端部４８Ａと端部４８Ｂとの間に縦方向に変位可能な中間部分４８Ｃを含む。
【００３７】
中間部分４８Ｃにはロック用突起（ロック用係合部）５０が一体成形されている。ロック用突起５０は、プラグ側ハウジング３２の側面３２Ｃの反対側に突出し、機器側ハウジング１２に対するプラグ側ハウジング３２の差し込み方向（前後方向）の前側の面が傾斜面５０Ａになっており、後側の面が垂直起立面５０Ｂになっている。
【００３８】
機器側ハウジング１２の側壁１２Ａの内側面（コネクタ挿入室１４を画定する面）にはロック用突起５０が係脱可能に係合するロック用凹部（ロック用被係合部）１８が形成されている。
【００３９】
ロック用突起５０は、図４に示されているように、プラグ側ハウジング３２が機器側ハウジング１２に受容される過程（プラグ側コネクタ３０の差込み過程）で、機器側ハウジング１２の側壁１２Ａに傾斜面５０Ａをもって当接することにより、片部４８を側壁１２Ａの側に弾性変形させながらコネクタ挿入室１４内に進入し、図６に示されているように、プラグ側ハウジング３２が機器側ハウジング１２に受容されたとき（プラグ側コネクタ３０の差込み完了時）にロック用凹部１８に弾発的に係合する。この係合時には、ロック用突起５０の垂直起立面５０Ｂが対向するロック用凹部１８の垂直面１８Ａに当接することにより、プラグ側コネクタ３０は機器側コネクタ１０から抜け出すこと（前後方向の移動）を阻止されたロック状態になる。
【００４０】
ロック用突起５０とロック用凹部１８との係合は、機器側ハウジング１２に対するプラグ側ハウジング３２の差込みが完了した時に、片部４８が復元して弾発的に行われるから、プラグ側ハウジングの差込みが完了した時のロック用突起５０とロック用凹部１８との係合が人為的な操作を要することなく必然的に確実に行われる。
【００４１】
片部４８は端部４８Ｂの近傍にロック解除操作部５２を有する。より詳細には、片部４８の端部４８Ｂの近傍にはプラグ側ハウジング３２の側面３２Ｃの反対側に突出したロック解除操作部５２が一体成形されている。図６に示されているロック状態で、ロック解除操作部５２が側面３２Ｃに近付く縦方向に押圧されることにより、片部４８が側壁１２Ａの側に弾性変形し、ロック用突起５０がロック用凹部１８から抜け出す。これにより、ロック用突起５０とロック用凹部１８との係合が解除されたアンロック状態になる。アンロック状態では、プラグ側コネクタ３０の前後方向の移動によってプラグ側ハウジング３２を機器側ハウジング１２から抜き出すことが可能になる。
【００４２】
これによりアンロック、つまりロック解除は、ロック解除操作部５２が押されるだけで、確実且つ簡便に行われる。
【００４３】
片部４８の中間部分４８Ｃが横方向を向く一方の側面４８Ｄには、図２、図５及び図７に示されているように、前後移動規制突部５４が一体成形されている。前後移動規制突部５４は、側面４８Ｄから横方向に延出し、片部４８の上述の弾性変形によってロック用突起５０に連繋して縦方向に変位する。
【００４４】
片部４８の中間部分４８Ｃが横方向を向く他方の側面４８Ｅには、図２、図５及び図７に示されているように、前後一対のストッパ突部５６、５８が一体成形されている。ストッパ突部５６、５８は、横方向に隣り合うプラグ側ハウジング３２の前後移動規制突部５４が縦方向から進入可能な前後方向の間隔をおいて側面４８Ｄから横方向に延出し、片部４８の上述の弾性変形によってロック用突起５０に連繋して縦方向に変位する。
【００４５】
ストッパ突部５６、５８は、図７に示されているように、プラグ側ハウジング３２が横方向に隣り合うプラグ側ハウジング３２との前後方向の位置が揃うべく整合した時に、横方向に隣り合うプラグ側ハウジング３２の前後移動規制突部５４の前後方向の変位を規制すべく前後移動規制突部５４に前後に整合する位置に形成され、横方向に隣り合うプラグ側ハウジング３２同士の前後方向の変位を規制する。つまり、前後移動規制突部５４は、横方向に隣り合うプラグ側ハウジング３２同士の前後方向の位置が揃うべく整合した時に、横方向に隣り合うプラグ側ハウジング３２のストッパ突部５６と５８との間に係合し、横方向に隣り合うプラグ側ハウジング３２同士の前後方向の変位を規制する。
【００４６】
この横方向に隣り合うプラグ側ハウジング３２同士の前後移動規制突部５４とストッパ突部５６及び５８との係合は、これらプラグ側ハウジング３２、つまりプラグ側コネクタ３０が機器側コネクタ１０のコネクタ挿入室１４から抜き出された時（取り外し状態時）に、サイドリテーナを必要とすることなく、横方向に隣り合うプラグ側ハウジング３２同士が前後方向にずれ動くことを阻止し、複数のプラグ側ハウジング３２が機器側コネクタ１０のコネクタ挿入室１４から抜き出された状態において、前後方向の位置合わせされた複数のプラグ側ハウジング３２の取り扱いが容易になり、コネクタ接続の作業性が改善される。
【００４７】
前後移動規制突部５４は、図５に示されているように、アンロック操作によって片部４８が側壁１２Ａの側に弾性変形した状態になることにより、横方向に隣り合うプラグ側ハウジング３２のストッパ突部５６、５８との係合から離脱する。同様に、ストッパ突部５６、５８は、図５に示されているように、アンロック操作によって片部４８が側壁１２Ａの側に弾性変形した状態になることにより、横方向に隣り合うプラグ側ハウジング３２の前後移動規制突部５４との係合から離脱する。この両方の離脱によって一つのプラグ側ハウジング３２は横方向の両側に横方向に隣り合うプラグ側ハウジング３２に対して前後方向の変位することが可能になる。
【００４８】
これにより、複数のプラグ側コネクタ３０が横方向に互いに隣接して機器側コネクタ１０のコネクタ挿入室１４に差し込まれた状態において、一つのプラグ側コネクタ３０のロック解除操作部５２が押され、ロック用突起５０がロック用凹部１８との係合から離脱されたアンロック状態になると、当該一つのプラグ側コネクタ３０が横方向の両側に隣り合うプラグ側コネクタ３０に対して前後方向に変位することが可能になり、この一つのプラグ側コネクタ３０だけを機器側コネクタ１０から取り外すことができる。
【００４９】
変位部材をなす片部４８がプラグ側ハウジング３２と一体形成されている片部４８であることにより、変位部材として別部品を必要とすることも、変位部材の組付けを行う必要もなく、簡素で安価なものになる。また、例えば、片部４８は一方の端部４８Ａのみがプラグ側ハウジング３２に結合された片持ち梁構造であってもよいが、本実施形態では、両持ち梁構造であることにより、遊端がないから、製造過程や組立過程において、自由な状態にある複数のプラグ側コネクタ３０の片部４８が絡み合う不具合な状態に陥ることがない。
【００５０】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００５１】
例えば、ロック用凹部１８とロック用突起５０とによるロック機構は、必要に応じてプラグ側ハウジング３２の縦方方向の両側に設けられていてもよい。凹溝部４０や突条４４等はあり継ぎ嵌合する形状をしていてもよく、この場合には凹溝部４０と突条４４との係合によって横方向に隣り合うプラグ側ハウジング３２同士の横方方向の移動も阻止される。一つの機器側コネクタ１０に対するプラグ側コネクタの接続数は、図１に示されている５個に限られることはなく、他の複数であってもよい。本発明によるコネクタ構造は、機器側コネクタ１０とプラグ側コネクタ３０との組み合わせに限られることはなく、コード付きのジャックとプラグと組み合わせ等であってもよい。
【００５２】
また、上記実施形態に示した構成要素は必ずしも全てが必須なものではなく、本発明の趣旨を逸脱しない限りにおいて適宜取捨選択することが可能である。
【符号の説明】
【００５３】
１０    ：機器側コネクタ（第１のコネクタ）
１２    ：機器側ハウジング（第１のハウジング）
１２Ａ  ：側壁
１２Ｂ  ：側壁
１２Ｃ  ：側壁
１２Ｄ  ：側壁
１２Ｅ  ：底壁
１４    ：コネクタ挿入室
１６    ：雄型端子（第１の端子）
１６Ａ  ：突出部
１８    ：ロック用凹部（ロック用被係合部）
１８Ａ  ：垂直面
３０    ：プラグ側コネクタ（第２のコネクタ）
３２    ：プラグ側ハウジング（第２のハウジング）
３２Ａ  ：側面
３２Ｂ  ：側面
３２Ｃ  ：側面
３２Ｄ  ：側面
３４    ：端子室
３６    ：雌型端子（第２の端子）
３８    ：絶縁被覆電線
４０    ：凹溝部（縦移動規制部）
４２    ：鉤形部（縦移動規制部）
４４    ：突条（縦移動規制部）
４６    ：突条（縦移動規制部）
４８    ：片部（変位部材）
４９    ：間隙
４８Ａ  ：端部
４８Ｂ  ：端部
４８Ｃ  ：中間部分
４８Ｄ  ：側面
４８Ｅ  ：側面
５０    ：ロック用突起（ロック用係合部）
５０Ａ  ：傾斜面
５０Ｂ  ：垂直起立面
５２    ：ロック解除操作部
５４    ：前後移動規制突部
５６    ：ストッパ突部（ストッパ部）
５８    ：ストッパ突部（ストッパ部）
【図１】
2018225527.tif 000003
【図２】
2018225527.tif 000004
【図３】
2018225527.tif 000005
【図４】
2018225527.tif 000006
【図５】
2018225527.tif 000007
【図６】
2018225527.tif 000008
【図７】
2018225527.tif 000009
【国際調査報告】
2018225527.tif 000010
2018225527.tif 000011